(57)【特許請求の範囲】
【請求項１】
体内に挿入される可撓管と、
前記可撓管に挿通された操作線と、
前記操作線の先端部に配置され回動軸により互いに開閉可能に軸支された一対の鋏片を備える処置部と、
前記可撓管の基端部に付設され前記操作線を操作して前記一対の鋏片を開閉する操作部と、を有し、
前記一対の鋏片を構成する一方の鋏片は、他方の鋏片に係合することにより前記一対の鋏片の最大開き角度を規制する係合部および前記係合部を前記一方の鋏片に固定する支持部を備えるストッパーを有しており、
前記ストッパーが、前記一方の鋏片の厚み方向に穿設された孔に前記支持部が挿入され前記一方の鋏片に対して固定されていることを特徴とする内視鏡用鋏。
【請求項２】
前記一対の鋏片が閉鎖状態で、前記係合部が前記他方の鋏片に係合し、前記他方の鋏片が閉じ方向に相対的に回動することを規制する請求項１に記載の内視鏡用鋏。
【請求項３】
前記一対の鋏片は、中間部で互いに重ね合わされた領域で前記回動軸に軸支されており、
前記係合部は、前記一方の鋏片の内向きの側面から、対向する前記他方の鋏片の側に向かって突出しており、
前記操作部の操作により開き方向に所定の角度だけ相対的に回動した前記他方の鋏片の端縁が、前記係合部に係合する請求項１または２に記載の内視鏡用鋏。
【請求項４】
前記一対の鋏片が閉鎖状態で、前記他方の鋏片の端縁が、前記係合部に係合する請求項３に記載の内視鏡用鋏。
【請求項５】
前記一方の鋏片には複数の前記ストッパーが設けられており、
前記操作部の操作により開き方向に所定の角度だけ相対的に回動した前記他方の鋏片が、前記複数の前記ストッパーのうちの２つ以上の前記ストッパーに設けられた前記係合部のいずれにも係合する請求項１から４のいずれか一項に記載の内視鏡用鋏。
【請求項６】
前記一対の鋏片が閉鎖状態で、前記複数の前記ストッパーのうちのいずれかの前記ストッパーにおける前記係合部が、前記他方の鋏片に係合する請求項５に記載の内視鏡用鋏。
【請求項７】
前記複数の前記ストッパーが、前記操作部の操作により開き方向に所定の角度だけ相対的に回動した前記他方の鋏片、および前記一対の鋏片が閉鎖状態における前記他方の鋏片のいずれにも係合する共通ストッパーを含む請求項６に記載の内視鏡用鋏。
【請求項８】
前記複数の前記ストッパーのいずれもが、前記操作部の操作により開き方向に所定の角度だけ相対的に回動した前記他方の鋏片と係合する請求項５から７のいずれか一項に記載の内視鏡用鋏。
【請求項９】
前記係合部の側面は、前記他方の鋏片の所定箇所に沿う係合辺を有し、
前記他方の鋏片が、前記操作部の操作により開き方向に所定の角度だけ相対的に回動することで、第一の前記所定箇所と第一の前記係合辺とが互いに沿って係合し、
前記一対の鋏片が閉鎖状態で、前記他方の鋏片が、第二の前記所定箇所と第二の前記係合辺とが互いに沿って係合する請求項１から８のいずれか一項に記載の内視鏡用鋏。
【請求項１０】
前記一対の鋏片は、導電性の刃部を備えるとともに前記刃部を除いた周面の略全面が絶縁性であり、かつ、前記孔より露出する前記ストッパーの周面が絶縁性であり、
前記刃部に高周波電圧を印加するための接続端子をさらに有している請求項１から９のいずれか一項に記載の内視鏡用鋏。
【請求項１１】
前記ストッパーの支持部が導電性である請求項１０に記載の内視鏡用鋏。
【請求項１２】
前記支持部の端面と前記一方の鋏片の一部とに亘る溶接部が設けられている請求項１から１１のいずれか一項に記載の内視鏡用鋏。
【請求項１３】
前記孔が、前記一方の鋏片の前記他方の鋏片に対向する内向きの側面から、前記内向きの側面とは反対側の側面である外向きの側面まで貫通しており、
前記支持部の前記端面は、前記外向きの側面と略同一面となるよう配置され、前記溶接部が前記支持部の前記端面と前記外向きの側面とに亘って設けられている請求項１２に記載の内視鏡用鋏。
【発明の詳細な説明】
【技術分野】
【０００１】
本発明は、内視鏡用鋏に関する。
【背景技術】
【０００２】
従来から、体腔内の病変部位等を切除し、または生体組織を切開するなどの処置を実施するための医療用器具として、内視鏡とともに用いられ操作ワイヤ（操作線）の先端部に鋏が配置された内視鏡用鋏が知られる。
【０００３】
たとえば、特許文献１には、回動軸により互い軸支されて開放状態と閉鎖状態とに回動変位する一対の鋏片を備え、操作ワイヤの進退操作により上記鋏片が開放状態と閉鎖状態とに変位する内視鏡用鋏（以下、「従来技術１」ともいう）が開示されている。
【０００４】
従来技術１は、一対の鋏片における一方の鋏片の周面に突出する突条のストッパーが一体的に設けられており、一対の鋏片の開放状態および閉鎖状態において、上記ストッパーが他方の鋏片に係合する。これによって、他方の鋏片は、開き方向の相対移動が規制されるとともに閉じ方向の相対移動が規制される。
即ち、ストッパーを有する従来技術１によれば、図７に示すように、鋏の先端同士の間隔が開き過ぎ、または図８に示すように、当該先端同士が交差して先端が外側に突出するといった、鋏特有の不具合が改善される。
【先行技術文献】
【特許文献】
【０００５】
【特許文献１】国際公開第２０１１／０４３３４０号パンフレット
【発明の概要】
【発明が解決しようとする課題】
【０００６】
しかし、従来技術１には、以下の問題があった。即ち、従来技術１のような内視鏡用鋏における鋏片は、刃渡りが１ｃｍ前後であって、幅寸法は数ｍｍ程度である。このような小さい歯の周面に突出する突状のストッパーを一体的に設けることは、容易な作業ではない。
【０００７】
たとえば金属製の鋏片を鋳造する際に、同時にストッパーを当該鋏片の周面に一体形成することは可能ではあるが、鋳造の精度を鑑みれば、一定の割合で微小な突状体であるストッパーの形成位置がずれる可能性が高い。ストッパーの形成位置がずれると、開放状態における一対の鋏片の所望の最大開き角度が実現できないという問題がある。
換言すると、従来技術１は、製造工程上、一定の割合で所望の最大開き角度が実現できない不良品が発生する虞があり生産性が悪い。
【０００８】
また、体腔における内視鏡用鋏の使用予定部位によって、一対の鋏片の所望の最大開き角度の大きさは変わり得る。最大開き角度の設計変更の要求を従来技術１において満たすためには、所望される最大開き角度ごとに、ストッパーの形成位置が変更された鋏片を製造しなければならなかった。そのため鋏片の部品種類数が多くなるという製造管理上の問題があった。
【０００９】
本発明は上記課題に鑑みてなされたものである。即ち、本発明は、一対の鋏片の最大開き角度を規制するストッパーを有しながらも生産性に優れ、かつ、最大開き角度を設計変更した場合にも、鋏片の部品種類数を増やすことなく対応可能な内視鏡用鋏を提供するものである。
【課題を解決するための手段】
【００１０】
本発明の内視鏡用鋏は、体内に挿入される可撓管と、上記可撓管に挿通された操作線と、上記操作線の先端部に配置され回動軸により互いに開閉可能に軸支された一対の鋏片を備える処置部と、上記可撓管の基端部に付設され上記操作線を操作して上記一対の鋏片を開閉する操作部と、を有し、上記一対の鋏片を構成する一方の鋏片は、他方の鋏片に係合することにより上記一対の鋏片の最大開き角度を規制する係合部および上記係合部を上記一方の鋏片に固定する支持部を備えるストッパーを有しており、上記ストッパーが、上記一方の鋏片の厚み方向に穿設された孔に上記支持部が挿入され上記一方の鋏片に対して固定されていることを特徴とする。
【発明の効果】
【００１１】
本発明の内視鏡用鋏によれば、予めストッパーと鋏片とを別体で準備した上、一方の鋏片に設けられた孔にストッパーの支持部を挿入して、当該ストッパーを一方の鋏片に装着することができる。そのため、従来に比べ、ストッパーを備える内視鏡用鋏片の生産性を向上させることができるとともに、鋏片自体の部品種類数を増やすことなく、一対の鋏片の最大開き角度の変更に対応することができる。
【図面の簡単な説明】
【００１２】
【図１】本発明の第一実施形態にかかる内視鏡用鋏の全体側面図である。
【図２】図１に示す内視鏡用鋏の閉鎖状態における先端部の縦断面図である。
【図３】図１に示す内視鏡用鋏の開放状態における先端部の縦断面図である。
【図４】（ａ）はストッパーが装着される前の一方の鋏片の縦断面概略図であり、（ｂ）は一方の鋏片の縦断面概略図であり、（ｃ）は第一実施形態の変形例における一方の鋏片の縦断面概略図である。
【図５】第二実施態様の内視鏡用鋏の閉鎖状態における先端部を説明する説明図である。
【図６】第二実施態様の内視鏡用鋏の開放状態における先端部を説明する説明図である。
【図７】開放状態である従来技術の内視鏡用鋏の先端部側面図である。
【図８】閉鎖状態である従来技術の内視鏡用鋏の先端部側面図である。
【発明を実施するための形態】
【００１３】
以下、本発明の実施形態について、図面を用いて説明する。すべての図面において、同様の構成要素には同一の符号を付し、重複する説明は適宜に省略する。
本発明の内視鏡用鋏の各種の構成要素は、個々に独立した存在である必要はなく、複数の構成要素が一個の部材として形成されていること、１つの構成要素が複数の部材で形成されていること、ある構成要素が他の構成要素の一部であること、ある構成要素の一部と他の構成要素の一部とが重複していること、等を許容する。
【００１４】
本発明に関し先端とは、本発明の内視鏡用鋏を内視鏡の鉗子孔に挿入する際の挿入先端を意味し、基端とは、上記先端とは反対側の端部、即ち、操作者側の端部を意味する。
また本発明に関し、特段の断りなく鋏片の端縁という場合には、一対の鋏片が互いに向き合う側の端縁（エッジ）を意味する。
本明細書において、縦断面とは、操作線の延在方向に平行し、一対の鋏片を軸支する回動軸の両端の中間部を切断してなる切断面を意味する。
【００１５】
＜第一実施形態＞
以下に、本発明の第一実施形態にかかる内視鏡用鋏１００について図１から図４を用いて説明する。また比較のために従来技術である内視鏡用鋏を図７、図８に示す。
図１は、本発明の第一実施形態にかかる内視鏡用鋏１００の全体側面図である。
図２は、図１に示す内視鏡用鋏１００の閉鎖状態における先端部の縦断面図である。
図３は、図１に示す内視鏡用鋏１００の開放状態における先端部の縦断面図である。
図４（ａ）は、ストッパー（第一ストッパー１５）が装着される前の一方の鋏片１２の縦断面概略図であり、図４（ｂ）は一方の鋏片１２の縦断面概略図であり、図４（ｃ）は第一実施形態の変形例における一方の鋏片１２の縦断面概略図である。
図７は、開放状態である従来技術の内視鏡用鋏９００の先端部側面図である。
図８は、閉鎖状態である従来技術の内視鏡用鋏９００の先端部側面図である。
尚、図２および図３では支持部１５ｂ、１６ｂを挿入するための孔１９を図示省略している。孔については図４を適宜参照することができる。
【００１６】
はじめに、本実施形態の内視鏡用鋏１００の概要について説明する。  
内視鏡用鋏１００は、体内に挿入される可撓管（シース４０）と、可撓管（シース４０）に挿通された操作線３０と、操作線３０の先端部に配置され回動軸２９により互いに開閉可能に軸支された一対の鋏片１２、２２を備える処置部１０を有している。可撓管（シース４０）の基端部には、操作線３０を操作して一対の鋏片１２、２２を開閉する操作部５０が付設されている。
一対の鋏片１２、２２を構成する一方の鋏片１２は、ストッパー（第一ストッパー１５、第二ストッパー１６）を有している。ストッパー（第一ストッパー１５、第二ストッパー１６）は、他方の鋏片２２に係合することにより一対の鋏片１２、２２の最大開き角度を規制する係合部１５ａ、１６ａ、および係合部１５ａ、１６ａを一方の鋏片１２に固定する支持部１５ｂ、１６ｂを備える。
内視鏡用鋏１００は、ストッパー（第一ストッパー１５、第二ストッパー１６）が、一方の鋏片１２の厚み方向に穿設された孔１９（図４（ａ）、（ｂ）参照）に支持部１５ｂ、１６ｂが挿入され一方の鋏片１２に対して固定されている。
【００１７】
内視鏡用鋏１００は、係合部１５ａと支持部１５ｂとを備える第一ストッパー１５、および係合部１６ａと支持部１６ｂとを備える第二ストッパー１６を有している。係合部１５ａ、１６ａは、一方の鋏片１２に設けられた孔１９（図４（ａ）、（ｂ）参照）に支持部１５ｂ、１６ｂがそれぞれ挿入されて固定されている。かかる構成により、鋏片の周面に対して突状のストッパーが一体的に設けられた従来技術１と比して、内視鏡用鋏１００は、生産性に優れる。
【００１８】
即ち、内視鏡用鋏１００において、第一ストッパー１５および第二ストッパー１６は、それぞれ、一方の鋏片１２とは別体に形成することができる。そのため、第一ストッパー１５および第二ストッパー１６の寸法制御は、製造工程において精密に管理され得る。
また従来技術１のごとく鋏片に微細な突状のストッパーを直接に固着形成する場合の当該ストッパーの位置精度の制御に比べて、一方の鋏片１２の所定の箇所において厚み方向に孔１９を穿設する際の位置精度の制御は容易である。
したがって内視鏡用鋏１００の構成は、良好に寸法制御された第一ストッパー１５および第二ストッパー１６を用い、位置精度が高い孔１９に支持部１５ｂ、１６ｂをそれぞれ挿入して係合部１５ａ、１６ａを固定することにより、ストッパー付きの内視鏡用鋏１００を製造することを可能とする。これにより内視鏡用鋏１００では、一方の鋏片１２において係合部１５ａまたは係合部１６ａの配置位置が所定位置からずれた不良品の発生率を低くすることができる。
【００１９】
また内視鏡用鋏１００は、一方の鋏片１２に形成される孔１９の位置を変更し、または係合部１５ａもしくは係合部１６ａの形状を変更することで、一方の鋏片１２における係合部１５ａもしくは係合部１６ａと他方の鋏片２２との係合位置を変更することができる。これにより内視鏡用鋏１００は、一方の鋏片１２自体の部品種類数を増やすことなく、一対の鋏片１２、２２の最大開き角度の変更に対応することができる。一対の鋏片１２、２２の所望の最大開き角度は、内視鏡用鋏１００が用いられる体腔の箇所や、処置内容によって異なり得る。そのため、最大開き角度が異なる複数種類の内視鏡用鋏１００の提供が望まれるところ、内視鏡用鋏１００は、一方の鋏片１２自体の部品種類数を増やすことなく、製造管理上、有利に上記要望に対応することができる。
【００２０】
尚、本実施形態では、具体的には、２つのストッパー（第一ストッパー１５、第二ストッパー１６）を備え、また一方の鋏片１２に、各ストッパーに設けられた支持部の数（具体的には２つ）だけ孔１９が設けられた態様を例に説明する。しかし、本発明の内視鏡用鋏は、１つ、または３つ以上のストッパーが装着された一方の鋏片を備える態様を広く包含する。一方の鋏片に設けられる孔の数は、特に限定されず、装着されるストッパーに対応して適宜変更することができる。
【００２１】
次に、本実施形態の内視鏡用鋏１００について詳細に説明する。
内視鏡用鋏１００は、内視鏡の鉗子孔（図示せず）に挿入して用いられ、生体組織（図示せず）を剪断して切開する器具である。内視鏡用鋏１００は、一対の鋏片１２、２２と、操作線３０と、を備えている。一対の鋏片１２、２２には、互いに開閉可能に軸支され生体組織を剪断する刃部１３、２３をそれぞれ有している。一対の鋏片１２、２２を備える処置部１０が、内視鏡用鋏１００の先端部に設けられている。処置部１０は操作線３０により開閉駆動される。操作線３０は、たとえば、ステンレス鋼などの導電性の金属材料で作成されている。たとえば操作線３０として導電性のワイヤを用いることができる。操作線３０は、鋏片１２、２２の基端部に駆動力を付与して、鋏片１２、２２の先端部を開閉操作する部材である。
【００２２】
薄板状の鋏片１２、２２は、互いに重ね合わされ回動軸２９によって開閉可能に軸支されている。操作線３０により、一対の鋏片１２、２２のそれぞれに設けられた刃部１３、２３の距離を増大する方向に操作して、鋏片１２、２２を開き方向に回動させることによって、一対の鋏片１２、２２が開放状態となる。操作部５０の操作により一対の鋏片１２、２２の距離が最大となった状態において示される、鋏片１２、２２の刃部１３、２３を有する側の端縁により成す角度が、最大開き角度である。一方、操作部５０の操作により、一対の鋏片１２、２２のそれぞれに設けられた刃部１３、２３の距離を減少する方向に操作して、鋏片１２、２２を閉じ方向に回動させることによって、一対の鋏片１２、２２が閉鎖状態となる。
【００２３】
図３に示すように、内視鏡用鋏１００は、一対の鋏片１２、２２を開き方向に回動させることで、所定の開き角度で一方の鋏片１２に設けられた第一ストッパー１５および第二ストッパー１６に他方の鋏片２２の端縁が係合する。これによって他方の鋏片２２は、さらに相対的に開き方向に回動することが規制され、一対の鋏片１２、２２の端縁において最大開き角度が示される。換言すると、内視鏡用鋏１００は、第一ストッパー１５および第二ストッパー１６と、他方の鋏片２２の端縁と、が互いに係合する位置を調整することによって、一対の鋏片１２、２２の最大開き角度を調整することができる。
これにより内視鏡用鋏１００は、図７に示すストッパーを有しない内視鏡用鋏９００における一対の鋏片２１２、２２２の最大開き角度が所望の角度以上になることを防止することができる。
【００２４】
図２に示すとおり、内視鏡用鋏１００は、一対の鋏片１２、２２が閉鎖状態で、係合部１５ａ、１６ａが他方の鋏片２２に係合し、他方の鋏片２２が閉じ方向に相対的に回動することを規制する。これにより、一対の鋏片１２、２２の所望の閉鎖状態を規定することができる。たとえば、図８に示すストッパーを有しない内視鏡用鋏９００のように、
一対の鋏片２１２、２２２が閉じ方向に回動しすぎて互いの先端が交差して外側に突出した状態となることが防止される。
【００２５】
本実施形態における一対の鋏片１２、２２は、中間部で互いに重ね合わされた領域で回動軸２９に軸支されている。図４に示すように係合部１５ａは、一方の鋏片１２の内向きの側面１２０から、対向する他方の鋏片２２の側に向かって突出している。図４において図示省略する係合部１６ａも、同様に、一方の鋏片１２の内向きの側面１２０から、対向する他方の鋏片２２の側に向かって突出している。内視鏡用鋏１００は、操作部５０の操作により開き方向に所定の角度だけ相対的に回動した他方の鋏片２２の端縁が、係合部１５ａ、１６ａに係合している。ここで内向きの側面１２０とは、薄板状の鋏片１２の一方の側面であって、中間部で重ね合わされた他方の鋏片２２に対向する側の側面を意味する。尚、本明細書において内向きの側面１２０とは反対側の側面を外向きの側面１２２という場合がある。
より具体的には、相対的に開き方向に回動する他方の鋏片２２の端縁が係合部１５ａ、１６ａに当接し、これによって他方の鋏片２２が、さらに開き方向に相対的に回動することが困難となり、一対の鋏片１２、２２の最大開き角度が所定角度で規制される。
【００２６】
中間部で互いに重ね合わされた領域で回動軸２９に軸支された一対の鋏片１２、２２は、図２に示すとおり、閉鎖状態で、他方の鋏片２２の端縁が、一方の鋏片１２の内向きの側面１２０から対向する他方の鋏片２２の側に向かって突出した係合部１５ａに係合している。
より具体的には、閉鎖状態の一対の鋏片１２、２２において、他方の鋏片２２の端縁が係合部１５ａに当接し、これによって、他方の鋏片２２が、さらに閉じ方向に相対的に回動することが困難となっている。
【００２７】
図４を用い、係合部１５ａを例に、孔１９と第一ストッパーの詳細を説明する。
本実施形態における係合部１５ａは、図４に示すとおり、一方の鋏片１２の内向きの側面１２０から突出している。一方の鋏片１２は、内向きの側面１２０において開口するとともに、これと対向する側面である外向きの側面１２２に向かって厚み方向に延在する孔１９が形成されている。図４（ａ）から（ｃ）に示す孔１９は、内向きの側面１２０から外向きの側面１２２に亘って厚み方向に一方の鋏片１２を貫通している。図示省略する孔１９の変形例としては、孔１９は内向きの側面１２０において開口するとともに、上記厚み方向の任意の位置で閉鎖された有底であってもよい。
第一ストッパー１５は、支持部１５ｂが孔１９に挿入されることにより一方の鋏片１２に対して立設されている。
【００２８】
第一ストッパー１５は、たとえば図４（ｂ）に示すとおり、支持部１５ｂの一方の端部に、支持部１５ｂの径よりも大きい径の係合部１５ａが設けられた有頭ピンである。かかる態様では、孔１９の径と略同等の径を有する支持部１５ｂが、孔１９に挿入されると所定の位置で係合部１５ａの裏面が孔１９の開口周りの面（内向きの側面１２０）に当接する。これにより、挿入時の挿込み深さを特段制御することなく、係合部１５ａが所定の高さとなるよう、第一ストッパー１５を一方の鋏片１２に装着することができる。
また別の態様として、第一ストッパー１５は、図４（ｃ）に示すとおり、支持部１５ｂと係合部１５ａの径とが略同等である同径の柱状ピンである。柱状ピンは製造が容易であって寸法安定性に優れるため、内視鏡用鋏１００の生産性をより向上させ得る。上記柱状ピンの形状は特に限定されず、角柱または円柱などであってよい。また、孔１９に挿入される部分（即ち支持部１５ｂ）は円柱であり、孔１９から露出する部分（即ち係合部１５ａ）は角柱であるなど、柱状ピンの断面形状は任意の位置で異なっていてもよい。
【００２９】
第一ストッパー１５は、係合部１５ａの表面とは反対側の面である端面１５ｃを、図４（ｂ）に示すように孔１９の途中に配置することができる。これにより、外向きの側面１２２から端面１５ｃに向かって接着剤などを注入することにより、第一ストッパー１５を一方の鋏片１２に確実に固着させることができる。もちろん、図４（ｂ）の態様において、端面１５ｃ側から溶接手段により第一ストッパー１５を一方の鋏片１２に溶接して固着してもよい。
また別の態様として、第一ストッパー１５は、端面１５ｃを、図４（ｃ）に示すように外向きの側面１２２と略同一面となるよう配置することができる。これにより、柱状ピンである支持部１５ｂの挿入深さを実質的に規制することができる。
支持部１５ｂが孔１９に挿入されることで一方の鋏片１２に装着された第一ストッパー１５は、接着剤による接着またはレーザー溶接などの任意の手段で一方の鋏片１２に対し確実に固着することができる。
【００３０】
第一ストッパー１５を一方の鋏片１２に固着させる１つの好ましい態様としては、まず支持部１５ｂを端面１５ｃ側から孔１９に圧入し、次いで、端面１５ｃ側から、レーザーなどの任意の手段を用いて端面１５ｃの周囲を第一ストッパー１５に対し溶接するとよい。
【００３１】
これにより、図４（ｃ）に示すように、支持部１５ｂの端面１５ｃと一方の鋏片１２の一部とに亘る溶接部１１０が設けられる。
より具体的には、たとえば内視鏡用鋏１００は、孔１９が、一方の鋏片１２の他方の鋏片１２に対向する内向きの側面１２０から、内向きの側面１２０とは反対側の側面である外向きの側面１２２まで貫通している。支持部１５ｂの端面１５ｃは、外向きの側面１２２と略同一面となるよう配置され、溶接部１１０が支持部１５ｂの端面１５ｃと外向きの側面１２２とに亘って設けられている。
【００３２】
溶接部１１０を外向きの側面１２２の側に設けることによって、一対の鋏片１２、２２の回動動作を阻害することなく、かつ、係合部１５ａの形状を実質的に変化させる虞なく、第一ストッパー１５を一方の鋏片１２に固着することができる。
特に端面１５ｃを外向きの側面１２２に対し略面一として溶接することによって、溶接不良の発生を防止することができる。
【００３３】
第一ストッパー１５における係合部１５ａは、円柱状である。そのため、第一ストッパー１５は、一方の鋏片１２に装着される際に方向規制を受けず装着容易であるとともに、取付位置のずれにより、所定の最大開き角度がずれることがない。
【００３４】
尚、上述にて図４を用いて第一ストッパー１５に関し説明する事項は、適宜、第二ストッパー１６にも参照される。第一ストッパー１５および第二ストッパー１６は、同形状であってもよいし、異なる形状であってもよい。ストッパーの部品種類を少なくするという観点からは、図２、図３に示すように、第一ストッパー１５および第二ストッパー１６は、同形状であることが好ましい。
【００３５】
本実施形態において、一方の鋏片１２には複数のストッパー（第一ストッパー１５、第二ストッパー１６）が設けられている。本実施形態では、操作部５０の操作により開き方向に所定の角度だけ相対的に回動した他方の鋏片２２が、複数のストッパーのうちの２つ以上のストッパー（第一ストッパー１５、第二ストッパー１６）に設けられた係合部１５ａ、１６ａのいずれにも係合している。
本実施形態では、具体的には、図３に示すとおり、他方の鋏片２２の端縁が、複数のストッパー（第一ストッパー１５、第二ストッパー１６）の全てにおいて、これらに設けられた係合部１５ａ、１６ａのそれぞれに対し、同時に係合する態様を図示して説明している。
【００３６】
開き方向に相対的に回動する他方の鋏片２２が、２以上のストッパー（第一ストッパー１５、第二ストッパー１６）のいずれにも係合することにより、ストッパーが受ける他方の鋏片２２の当接圧が分散される。これにより一度の処置において、一対の鋏片１２、２２が操作部５０の操作により繰り返し開閉した場合にも、開き方向に相対的に回動する他方の鋏片２２を繰り返し受けとめるストッパーの消耗を防止することができる。
【００３７】
一方、本実施形態では、一対の鋏片１２、２２が閉鎖状態において、複数のストッパー（第一ストッパー１５、第二ストッパー１６）のうちのいずれかのストッパーにおける係合部（具体的には第一ストッパー１５における係合部１５ａ）が、他方の鋏片２２に係合している。
上述する複数のストッパーにおいて、閉鎖状態で他方の鋏片２２に係合するいずれかのストッパーは、開放状態では他方の鋏片２２に係合しない態様、または開放状態でも他方の鋏片２２に係合する態様のいずれであってもよい。
【００３８】
即ち、複数のストッパーは、操作部５０の操作により開き方向に所定の角度だけ相対的に回動した他方の鋏片２２（開放状態における鋏片２２）、および一対の鋏片１２、２２が閉鎖状態における他方の鋏片２２のいずれにも係合する共通ストッパーを含んでいてもよい。図２、図３に示す内視鏡用鋏１００において、第一ストッパー１５が上述する共通のストッパーである。
【００３９】
また図２、図３に示す内視鏡用鋏１００は、複数のストッパー（第一ストッパー１５、第二ストッパー１６）のいずれもが、操作部５０（図１参照）の操作により開き方向に所定の角度だけ相対的に回動した他方の鋏片２２と係合している。
【００４０】
図２および図３に示すとおり、内視鏡用鋏１００は、一対の鋏片１２、２２の開放状態および閉鎖状態のいずれにおいても他方の鋏片２２に係合する共通ストッパーとなっている。加えて、残りのストッパー（第二ストッパー１６）が、一対の鋏片１２、２２の開放状態でのみ他方の鋏片２２に係合している。かかる構成は、限られた数（たとえば２つ）のストッパーで、より効果的に一対の鋏片の最大開き角度および所望の閉鎖状態を規制するという観点で好ましい。
内視鏡用鋏１００において一対の鋏片１２、２２を閉止状態にする場合には、通常、操作線３０を基端側に引くよう操作部５０を操作し、一対の鋏片１２、２２に連結するリンク片１７、２７が互いに平行となる方向に動作させる（図２参照）。これに対し、一対の鋏片１２、２２を開放状態にする場合には、通常、操作線３０を先端側に押し込むよう操作部５０を操作し、リンク片１７、２７を外側方向に屈曲させるよう動作させる（図３参照）。上述の操作において、一般的に、一方の鋏片に設けられたストッパーと他方の鋏片とを係合させて所望の最大開き角度に規制するために要する力は、所定の閉鎖状態を維持するために要する力よりも大きい傾向にある。そのため開き方向に回動する他方の鋏片に係合するストッパーの数を、閉じ方向に回動する他方の鋏片に係合するストッパーの数より多くすることが有効である。
【００４１】
図示省略するが、本実施形態は、上述する複数のストッパーが、開放状態における他方の鋏片と係合するとともに、閉鎖状態における他方の鋏片とは係合しない開放状態専用ストッパー、および閉鎖状態における他方の鋏片と係合するとともに、開放状態における他方の鋏片とは係合しない閉鎖状態規専用ストッパーを含む態様であってもよい。このように複数のストッパーを、開放状態専用ストッパーと閉鎖状態専用ストッパーとに形成し分けることによって、最大角度を規制するためにより好ましい位置、および所望の閉鎖状態を維持するためにより好ましい位置にそれぞれ形成することができる。
【００４２】
図１に示すとおり、内視鏡用鋏１００は、可撓性のシース４０と、シース４０の近位側に設けられた操作部５０とを備えている。シース４０は絶縁性の可撓管であり、その内部に操作線３０が挿通されている。
【００４３】
操作部５０は、操作線３０が挿通された軸部５８と、この軸部５８の基端部に設けられた指掛リング５４と、操作線３０の基端が連結されて軸部５８に対して進退移動するスライダ５６と、を備えている。操作線３０は軸部５８に対して摺動可能に挿通されている。ユーザは、指掛リング５４に例えば親指を挿入し、スライダ５６を他の２本の指で軸部５８の長手方向に沿って進退駆動する。これにより、操作線３０は操作部５０に対して前進または後退する。操作線３０はシース４０に対して進退可能に挿通されており、スライダ５６の移動に連動して操作線３０の先端部はシース４０に対して前進または後退する。
【００４４】
図２および図３に示すように、操作線３０の先端側には進退部２６が一体に連結されている。進退部２６には、２枚のリンク片１７、２７が回動可能に連結されている。さらに、リンク片１７には一方の鋏片１２が回動可能に連結され、リンク片２７には他方の鋏片２２が回動可能に連結されている。一方の鋏片１２、他方の鋏片２２およびリンク片１７、２７は、図２および図３に示す平面内で相対的に回動する。
【００４５】
図１から図３に示すように、シース４０の先端には保持枠２０が装着されている。保持枠２０の基端部はシース４０に挿入されて固定され、保持枠２０の先端部はシース４０より突出してリンク片１７、２７を収容している。一方の鋏片１２と他方の鋏片２２とを回動可能に連結する回動軸２９は保持枠２０に対して固定されている。
【００４６】
図２に示すように、操作線３０および進退部２６が基端側（図２の右方）に牽引されると、リンク片１７、２７および鋏片１２、２２は略直線状となり、処置部１０は閉鎖状態となる。逆に、図３に示すように操作線３０および進退部２６が先端側（図３の左方）に押し出されると、保持枠２０の内部でリンク片１７、２７が回動軸２９に近づいて鋏片１２、２２を駆動し、処置部１０は開放状態となる。
【００４７】
鋏片１２、２２は、回動軸２９の近傍において回動面内方向に浅く屈曲する略Ｌ字状すなわち鎌形状をなしている。対になる鋏片１２、２２の形状は、対称形状でもよくまたは非対称形状でもよい。鋏片１２、２２およびリンク片１７、２７は、回動軸２９を支点として処置部１０を開閉駆動する四節リンク機構を構成している。そして操作線３０は、進退部２６およびリンク片１７、２７を介して鋏片１２、２２の基端部に駆動力を付与し、鋏片１２、２２の先端部を開閉操作する。
【００４８】
図２に示すとおり、第一ストッパー１５および第二ストッパー１６は、一方の鋏片１２において回動軸２９よりも先端側に配置されている。閉鎖状態では、第一ストッパー１５が、他方の鋏片２２の回動軸２９よりも先端側で当接しており、これによって所望の閉鎖状態が維持されている。開放状態では、図３に示すとおり、第一ストッパー１５および第二ストッパー１６が、他方の鋏片２２の回動軸２９よりも基端側で当接しており、これによって一対の鋏片１２、２２の最大開き角度が規制されている。
共通のストッパーである第一ストッパー１５は、側面の異なる箇所で、閉鎖状態および開放状態のそれぞれにおいて、他方の鋏片２２に当接する。
【００４９】
本実施形態のシース４０は、ステンレス線等の導電性ワイヤを密着巻回した作成されたコイル４１である。シース４０の外表面には絶縁性被覆４２が密着して設けられている。回転操作部５７（図１参照）には操作線３０が摩擦的に接続されており、回転操作部５７を軸部５８のまわりに軸回転させることで、スライダ５６に基端が固定された操作線３０はシース４０の内部で回転する。これにより、処置部１０を所望の向きに指向させることができる。回転操作部５７は接続端子５２に対して回転可能に取り付けられており、接続端子５２と高周波電源（図示せず）とを連結する電源ケーブル（図示せず）を下方に垂下させた状態で回転操作部５７を軸部５８の周りに回転操作することができる。なお、本実施形態に代えて、スライダ５６を軸部５８のまわりに軸回転可能に構成して、スライダ５６に回転操作部５７の機能を付与してもよい。すなわち、スライダ５６を軸部５８の長手方向に沿って進退駆動することで操作線３０を進退させて処置部１０を開閉操作し、またスライダ５６を軸部５８のまわりに軸回転させることで処置部１０を回転させて所望の向きに指向させるように構成してもよい。
【００５０】
鋏片１２、２２には、互いに重ねあわされる各内面のうち対向する端縁に沿って刃部１３、２３が形成されている。本実施形態の刃部１３、２３は、鋏片１２、２２のうち回動軸２９よりも先端側の一部領域に形成されている。刃部１３、２３は、生体組織（図示せず）を剪断して切開する部位である。具体的には、操作部５０のスライダ５６（図１参照）を牽引して、図２に示すように回動軸２９を中心に鋏片１２、２２を回動させて先端部を閉じることで、刃部１３、２３同士の間に剪断力が発生する。
一対の鋏片１２、２２の少なくとも一方の先端部には、生体組織を把持する爪部１４が、刃部１３、２３よりも閉じ方向に突出して形成されている。本実施形態にかかる内視鏡用鋏１００は、図２、図３に示すとおり、鋏片２２の先端部に刃部２３よりも閉じ方向に突出して形成された爪部１４を有している。
【００５１】
内視鏡用鋏１００は、生体組織を剪断力により物理的に切開するのみならず、刃部１３、２３に高周波電圧を印加することにより、生体組織を焼灼して切開するよう構成することができる。
より具体的には、一対の鋏片１２、２２に導電性の刃部１３、２３を設けるとともに、刃部１３、２３を除いた周面の略全面を絶縁性とし、かつ、孔１９より露出するストッパー（第一ストッパー１５、第二ストッパー１６）の周面を絶縁性として構成する。そして、導電性の刃部１３、２３に高周波電圧を印加するための接続端子５２をさらに設けることによって、高周波を利用した内視鏡用鋏１００を構成することができる。ここでストッパーの露出する周面とは、孔１９より露出するストッパーの周面のことをいい、たとえば係合部１５ａ、１６ａの周面を指す。
【００５２】
上述のとおり高周波を利用することにより、ストッパー（第一ストッパー１５、第二ストッパー１６）を備える内視鏡用鋏１００を高周波治療に対応させることができ、生体組織を小さな力で切開でき、また切開された部位を同時に止血することができる。このとき接続端子５２に印加された高周波電圧がストッパー（第一ストッパー１５、第二ストッパー１６）を通じて生体組織に不測に印加されることがない。これにより、焼灼される生体組織が、刃部１３、２３を除く鋏片１２、２２のみならず、ストッパー（第一ストッパー１５、第二ストッパー１６）に付着することも防止される。
【００５３】
ストッパー（第一ストッパー１５、第二ストッパー１６）における通電を実質的に回避するとともに、より良好な製造性を実現するという観点からは、ストッパー（第一ストッパー１５、第二ストッパー１６）の支持部１５ｂ、１６ｂを導電性とすることが好ましい。支持部１５ｂ、１６ｂは、絶縁性被膜を有しないことによって、孔１９への良好な圧入性を担保し、かつ、孔１９から露出する係合部１５ａ、１６ａは、絶縁性被膜を有することによって通電を回避することができる。
【００５４】
ストッパー（第一ストッパー１５、第二ストッパー１６）は、鋏片１２、２２と同種または異種の金属材料で構成されるともに、所定の周面に絶縁性被膜を設ける等の絶縁性処理が施される。
または、ストッパー（第一ストッパー１５、第二ストッパー１６）は、セラミックス材料もしくは樹脂材料などの絶縁性材料で構成されてもよい。これによって、事後的にストッパー（第一ストッパー１５、第二ストッパー１６）の絶縁処理を行う必要がなくなる。また係合部１５ａ、１６ａに繰り返し他方の鋏片２２が係合して、係合部１５ａ、１６ａにおける係合箇所の絶縁被膜が剥離するなどの虞がない。
【００５５】
たとえば、図１に示すとおり、内視鏡用鋏１００は、高周波電圧（図示せず）に接続される端子である接続端子５２をスライダ５６に備える。高周波を利用して生体組織を切開可能とするために、処置部１０を構成する鋏片１２、２２、リンク片１７、２７および進退部２６は、いずれも導電性の金属材料で作成されている。また、上述のように操作線３０もまた導電性の金属材料で作成されている。このため、接続端子５２に印加された高周波電圧は鋏片１２、２２に負荷される。
【００５６】
図２および図３に示すように、鋏片１２、２２の表面には絶縁性被覆１８、２８が設けられている。便宜上、図２および図３では絶縁性被覆１８、２８を部分的に図示しているが、絶縁性被覆１８、２８は刃部１３、２３の線状の縁部を除き鋏片１２、２２の略全体に形成されている。刃部１３、２３は絶縁性被覆１８、２８から露出している。絶縁性被覆１８、２８は、たとえばフッ素樹脂などの絶縁性材料をコーティングして形成することができる。
【００５７】
絶縁性被覆１８、２８から露出する刃部１３、２３は線状の電極となる。鋏片１２、２２は、接続端子５２より同位相の高周波電圧が印加されてモノポーラ型の高周波電極となる。
【００５８】
刃部１３、２３を導電性の電極とし、鋏片１２、２２におけるその他の領域に絶縁性被覆１８、２８を形成するにあたっては、以下のようにして行うことができる。すなわち、予め鋏片１２、２２の全体に絶縁性材料をそれぞれコーティングしておき、その後に刃部１３、２３にあたる線状の領域のコーティングを研磨や薬品によって剥離することができる。
【００５９】
保持枠２０は、少なくとも外表面に絶縁性被膜が被覆形成された金属材料、またはセラミックス材料もしくは樹脂材料などの絶縁性材料で作成されている。すなわち、接続端子５２に印加された高周波電圧が保持枠２０を通じて生体組織に不測に印加されることがない。これにより、焼灼される生体組織が、刃部１３、２３を除く鋏片１２、２２のみならず、保持枠２０に付着することも防止されている。
【００６０】
＜第二実施形態＞
次に、本発明の第二実施形態の内視鏡用鋏２００について、図５および図６を用いて説明する。
図５は、内視鏡用鋏２００の閉鎖状態における先端部を説明する説明図である。
図６は、内視鏡用鋏２００の開放状態における先端部を説明する説明図である。
尚、図５および図６では支持部６８を挿入するための孔１９を図示省略している。孔については図４を適宜参照することができる。
本実施形態の内視鏡用鋏２００は、一方の鋏片１２に固定されたストッパー６０の形状が、第一実施形態における内視鏡用鋏１００の第一ストッパー１５、第二ストッパー１６の形状と異なる点で第一実施形態と相違する。
以下、第二実施形態の説明に関し、第一実施形態と重複する説明は適宜省略する。
【００６１】
内視鏡用鋏２００は、ストッパー６０を有している。ストッパー６０は、係合部６６と支持部６８を有しており、支持部６８が内視鏡用鋏２００の一方の鋏片１２に設けられた孔１９（図示省略）に挿入されて、一方の鋏片１２に固定されている。
【００６２】
係合部６６の側面は、他方の鋏片２２の所定箇所（第一係合エッジ６３、第二係合エッジ６５）に沿う係合辺（第一係合辺６２、第二係合辺６４）を有している。
図６に示すとおり、他方の鋏片２２が、操作部５０の操作により開き方向に所定の角度だけ相対的に回動することで、第一の所定箇所（第一係合エッジ６３）と第一の係合辺（第一係合辺６２）とが互いに沿って係合する。また図５に示すとおり、一対の鋏片１２、２２が閉鎖状態で、他方の鋏片２２が、第二の所定箇所（第二係合エッジ６５）と第二の係合辺（第二係合辺６４）とが互いに沿って係合する。ここで、他方の鋏片２２の端縁の所定箇所に沿う係合辺とは、係合部６６の側面に含まれ、他方の鋏片２２の端縁の所定箇所のラインに沿った所定の長さの線分を意味する。
具体的には、図５、図６に示す内視鏡用鋏２００は、他方の鋏片２２の端縁に設けられた所定箇所（第一係合エッジ６３、第二係合エッジ６５）と、係合部の係合辺（第一係合辺６２、第二係合辺６４）とが互いに沿って係合している。
【００６３】
本実施形態にかかる内視鏡用鋏２００は、他方の鋏片２２の端縁と、係合部６６とが点接触ではなく、少なくとも線接触するため、係合の状態が安定する。また係合箇所が線接触となるため、係合箇所が点接触である場合に比べ、係合における当接圧を分散させることができ、繰り返し係合したときの係合部６６の消耗を低減することができる。
【００６４】
本実施形態の変形例として、係合部６６が第一係合辺６２を含む第一係合面（図示省略）を有し、他方の鋏片２２が、操作部５０の操作により開き方向に所定の角度だけ相対的に回動することで、第一係合エッジ６３と当該第一係合面とが互いに沿って係合してもよい。
同様に、係合部６６が第二係合辺６４を含む第二係合面（図示省略）を有し、一対の鋏片１２、２２が閉鎖状態で、第二係合エッジ６５と当該第二係合面とが互いに沿って係合してもよい。
かかる変形例では、他方の鋏片２２と係合部６６とが面接触することによって互いに係合するため、係合の状態がより安定する。
【００６５】
以上に本発明の第一実施形態および第二実施形態を説明したが、本発明は上述の実施形態に限定されるものではなく、本発明の目的が達成される限りにおける種々の変形、改良等の態様も含む。
たとえば上記実施形態では、一方の鋏片に設けられたストッパーが、他方の鋏片の端縁に当接して係合する態様を示したが、本発明はこれに限定されない。その他の例としては、たとえば他方の鋏片に図示省略する突起部または段差部等の任意の係合構造が設けられ、当該係合構造と一方の鋏片に設けられたストッパーとが係合する態様を本発明は包含する。
また上記実施形態において、ストッパーが一方の鋏片１２にのみ設けられた例を示したが、本発明は、鋏片１２および鋏片２２のいずれにもストッパーが設けられた態様を包含する。
また、第二実施形態では、開放状態および閉鎖状態のいずれにおいても一方の鋏片に設けられた係合部と他方の鋏片の端縁とが係合する態様を示した。しかし、本発明は、開放状態のみで、一方の鋏片に設けられた係合部（第一係合辺）と他方の鋏片の端縁（第一係合エッジ）とが係合する態様を包含する。
【００６６】
上記実施形態は、以下の技術思想を包含するものである。
（１）体内に挿入される可撓管と、
前記可撓管に挿通された操作線と、
前記操作線の先端部に配置され回動軸により互いに開閉可能に軸支された一対の鋏片を備える処置部と、
前記可撓管の基端部に付設され前記操作線を操作して前記一対の鋏片を開閉する操作部と、を有し、
前記一対の鋏片を構成する一方の鋏片は、他方の鋏片に係合することにより前記一対の鋏片の最大開き角度を規制する係合部および前記係合部を前記一方の鋏片に固定する支持部を備えるストッパーを有しており、
前記ストッパーが、前記一方の鋏片の厚み方向に穿設された孔に前記支持部が挿入され前記一方の鋏片に対して固定されていることを特徴とする内視鏡用鋏。
（２）前記一対の鋏片が閉鎖状態で、前記係合部が前記他方の鋏片に係合し、前記他方の鋏片が閉じ方向に相対的に回動することを規制する上記（１）に記載の内視鏡用鋏。
（３）前記一対の鋏片は、中間部で互いに重ね合わされた領域で前記回動軸に軸支されており、
前記係合部は、前記一方の鋏片の内向きの側面から、対向する前記他方の鋏片の側に向かって突出しており、
前記操作部の操作により開き方向に所定の角度だけ相対的に回動した前記他方の鋏片の端縁が、前記係合部に係合する上記（１）または（２）に記載の内視鏡用鋏。
（４）前記一対の鋏片が閉鎖状態で、前記他方の鋏片の端縁が、前記係合部に係合する上記（３）に記載の内視鏡用鋏。
（５）前記一方の鋏片には複数の前記ストッパーが設けられており、
前記操作部の操作により開き方向に所定の角度だけ相対的に回動した前記他方の鋏片が、前記複数の前記ストッパーのうちの２つ以上の前記ストッパーに設けられた前記係合部のいずれにも係合する上記（１）から（４）のいずれか一項に記載の内視鏡用鋏。
（６）前記一対の鋏片が閉鎖状態で、前記複数の前記ストッパーのうちのいずれかの前記ストッパーにおける前記係合部が、前記他方の鋏片に係合する上記（５）に記載の内視鏡用鋏。
（７）前記複数の前記ストッパーが、前記操作部の操作により開き方向に所定の角度だけ相対的に回動した前記他方の鋏片、および前記一対の鋏片が閉鎖状態における前記他方の鋏片のいずれにも係合する共通ストッパーを含む上記（６）に記載の内視鏡用鋏。
（８）前記複数の前記ストッパーのいずれもが、前記操作部の操作により開き方向に所定の角度だけ相対的に回動した前記他方の鋏片と係合する上記（５）から（７）のいずれか一項に記載の内視鏡用鋏。
（９）前記係合部の側面は、前記他方の鋏片の所定箇所に沿う係合辺を有し、
前記他方の鋏片が、前記操作部の操作により開き方向に所定の角度だけ相対的に回動することで、第一の前記所定箇所と第一の前記係合辺とが互いに沿って係合し、
前記一対の鋏片が閉鎖状態で、前記他方の鋏片が、第二の前記所定箇所と第二の前記係合辺とが互いに沿って係合する上記（１）から（８）のいずれか一項に記載の内視鏡用鋏。
（１０）前記一対の鋏片は、導電性の刃部を備えるとともに前記刃部を除いた周面の略全面が絶縁性であり、かつ、前記孔より露出する前記ストッパーの周面が絶縁性であり、
前記刃部に高周波電圧を印加するための接続端子をさらに有している上記（１）から（９）のいずれか一項に記載の内視鏡用鋏。
（１１）前記ストッパーの支持部が導電性である上記（１０）に記載の内視鏡用鋏。
（１２）前記支持部の端面と前記一方の鋏片の一部とに亘る溶接部が設けられている上記（１）から（１１）のいずれか一項に記載の内視鏡用鋏。
（１３）前記孔が、前記一方の鋏片の前記他方の鋏片に対向する内向きの側面から、前記内向きの側面とは反対側の側面である外向きの側面まで貫通しており、
前記支持部の前記端面は、前記外向きの側面と略同一面となるよう配置され、前記溶接部が前記支持部の前記端面と前記外向きの側面とに亘って設けられている上記（１２）に記載の内視鏡用鋏。
【符号の説明】
【００６７】
１０・・・処置部
１２、２２・・・鋏片
１３、２３・・・刃部
１４・・・爪部
１５・・・第一ストッパー
１５ａ、１６ａ・・・係合部
１５ｂ、１６ｂ・・・支持部
１５ｃ・・・端面
１６・・・第二ストッパー
１７、２７・・・リンク片
１８、２８・・・絶縁性被覆
１９・・・孔
２０・・・保持枠
２６・・・進退部
２９・・・回動軸
３０・・・操作線
４０・・・シース
４１・・・コイル
４２・・・絶縁性被覆
５０・・・操作部
５２・・・接続端子
５４・・・指掛リング
５６・・・スライダ
５７・・・回転操作部
５８・・・軸部
６０・・・ストッパー
６２・・・第一係合辺
６３・・・第一係合エッジ
６４・・・第二係合辺
６５・・・第二係合エッジ
６６・・・係合部
６８・・・支持部
１００、２００、９００・・・内視鏡用鋏
１１０・・・溶接部
１２０・・・側面
１２２・・・側面
２１２、２２２・・・鋏片
ｎ・・・モノポーラ型
【図１】
0006390358.tif 000002
【図２】
0006390358.tif 000003
【図３】
0006390358.tif 000004
【図４】
0006390358.tif 000005
【図５】
0006390358.tif 000006
【図６】
0006390358.tif 000007
【図７】
0006390358.tif 000008
【図８】
0006390358.tif 000009